(57)【要約】      （修正有）【課題】ヒータの発熱量を増加させることなく、観音開き扉での結露を抑制することを可能とした冷蔵庫を提供すること。【解決手段】回転仕切体１０９と冷蔵室の前面開口との隙間を、扉ガスケット１１０に配置され、断熱箱体前面部もしくは区画板３０３前面と回転仕切体１０９と接触し、隙間を閉塞させる内部に断熱シートを配置した第１のヒレ部材２０６と、左右の観音開き扉１０２の間に回転仕切体１０９と離れた前面で回転仕切体１０９と接触しない第２のヒレ部材２０７と、第１のヒレ部材２０６に配置された断熱シートによる断熱と、第２のヒレ部材２０７によって温度の高い雰囲気を囲い込むことにより、回転仕切体１０９に設置された仕切体加温手段に対するヒータ加熱を行うための投入電力を少なくすることができ、消費電力の削減が可能となる。【選択図】図３
2018112385.tif 000002
【特許請求の範囲】
【請求項１】
断熱箱体を、冷蔵室を含む複数の部屋に区画する区画板と、
前記冷蔵室の前面開口に位置し左右に開閉する観音開き扉と、
前記観音開き扉の少なくともいずれか一方の内面に縦方向にわたり設けられ、吸着面を形成する仕切板を有する回転仕切体と、
前記回転仕切体と前記前面開口との間に位置し、前記吸着面と吸着する扉ガスケットと、
前記断熱箱体の前面部と前記区画板の前面とを加温する断熱箱体前面加温手段と、を備え、
前記扉ガスケットに配置され、前記断熱箱体の前面部および前記区画板の前面と前記回転仕切体と接触し、前記回転仕切体と前記冷蔵室の前面開口との間の隙間を閉塞させる第１のヒレ部材と、
前記扉ガスケットの前記観音開き扉の開閉時に変形しない箇所に配置され、前記左右の観音開き扉の間の隙間であって、前記回転仕切体の前面に配置され、前記回転仕切体と接触せず、かつ、お互いに接触しない第２のヒレ部材と、を有することを特徴とする冷蔵庫。
【請求項２】
前記第２のヒレ部材が配置される、前記扉ガスケットの変形しない箇所が、前記吸着面と前記扉ガスケットを吸着する為に前記扉ガスケット内部に配置された磁性体とを固定する箇所であることを特徴とする請求項１記載の冷蔵庫。
【請求項３】
前記第２のヒレ部材が配置される、前記扉ガスケットの変形しない箇所が、前記扉ガスケットを前記観音開き扉に接触固定する固定用ヒレ部であることを特徴とする請求項１記載の冷蔵庫。
【請求項４】
前記第２のヒレ部材を、左右の扉ガスケットのそれぞれに少なくとも２つ以上設けたことを特徴とする請求項１から請求項３のいずれか１項に記載の冷蔵庫。
【請求項５】
前記左右の扉ガスケットのそれぞれに少なくとも２つ以上設けた複数の前記第２のヒレ部材同士が、接触しないことを特徴とする請求項４記載の冷蔵庫。
【請求項６】
前記第２のヒレ部材を、前記観音開き扉の縦方向全体にわたって設けたことを特徴とする請求項１から請求項５のいずれか１項に記載の冷蔵庫。
【請求項７】
前記第２のヒレ部材を、前記観音開き扉の上端側と下端側に分離して設けたことを特徴とする請求項１から請求項５のいずれか１項に記載の冷蔵庫。
【請求項８】
前記第２のヒレ部材を、前記観音開き扉の上端側に設けたことを特徴とする請求項１から請求項３のいずれか１項に記載の冷蔵庫。
【請求項９】
前記第２のヒレ部材を、前記観音開き扉の下端側に設けたことを特徴とする請求項１から請求項３のいずれか１項に記載の冷蔵庫。
【請求項１０】
前記第２のヒレ部材が、前記観音開き扉の上部において水平方向へ延長した構造であることを特徴とする請求項１から請求項８のいずれか１項に記載の冷蔵庫。
【請求項１１】
前記第２のヒレ部材の前記観音開き扉の上部へ延長した延長部が、前記断熱箱体の前面部に向かって屈曲した構造であることを特徴とする請求項１０記載の冷蔵庫。
【請求項１２】
前記第２のヒレ部材の屈曲した構造が、前記断熱箱体の前面部と接触することを特徴とする請求項１１に記載の冷蔵庫。
【請求項１３】
前記第２のヒレ部材が、前記観音開き扉の下部において水平方向へ延長した構造であることを特徴とする請求項１から請求項７もしくは請求項９のいずれか１項に記載の冷蔵庫。
【請求項１４】
前記第２のヒレ部材の前記観音開き扉の下部へ延長した延長部が、前記区画板の前面に向かって屈曲した構造であることを特徴とする請求項１３記載の冷蔵庫。
【請求項１５】
前記第２のヒレ部材の屈曲した構造が、前記区画板の前面と接触することを特徴とする請求項１０に記載の冷蔵庫。
【請求項１６】
前記第１のヒレ部材の庫内側外表面にシート状の断熱材を配置したことを特徴とする請求項１から請求項１５のいずれか１項に記載の冷蔵庫。
【請求項１７】
前記第１のヒレ部材の外気側外表面にシート状の断熱材を配置したことを特徴とする請求項１から請求項１６のいずれか１項に記載の冷蔵庫。
【請求項１８】
前記第１のヒレ部材の中にシート状の断熱材を配置したことを特徴とする請求項１から請求項１７のいずれか１項に記載の冷蔵庫。
【請求項１９】
前記シート状の断熱材がシリカエアロゲルを繊維シートの空隙に埋め込んだ断熱シートであることを特徴とする請求項１８記載の冷蔵庫。
【請求項２０】
前記回転仕切体は、さらに、
前記回転仕切体の内部に配設された断熱材と、
前記仕切板の周縁部および前記断熱材の外面を覆う仕切枠体と、
前記仕切板内面を加温する仕切板加温手段と、を有する請求項１から請求項１９のいずれか１項に記載の冷蔵庫。
【発明の詳細な説明】
【技術分野】
【０００１】
本発明は、本体上部に設けた貯蔵室の前面開口を併置した左右の観音開き扉で閉塞した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されている。これまで、冷蔵庫に対して冷凍室を上部に配置したトップフリーザータイプ、上部の冷蔵室（冷蔵貯蔵室）と下部の野菜室との間に冷凍室を配置したミドルフリーザータイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、近年では、使い勝手を考慮して、図１６に示す様に、冷蔵庫１４０１において使用頻度が高く収納容積の最も大きい冷蔵室１４０２を観音開き式の扉として最上段に配置し、その下方に製氷室１４０３や温度切替室１４０４、そしてその下方に野菜室（図示せず）、最下部に冷凍室（図示せず）を設置したタイプが主流になっている。前記冷蔵室１４０２の観音開き扉１４０５の一方の開放端側の内面に閉扉時には他方の扉側へ回動する仕切体１４０６を取付けてガスケット１４０７との吸着面を設けるようにしている。加えて、回転仕切体１４０６の内部にヒータを設け（図示せず）回転仕切体表面に発生する結露を防止している（例えば、特許文献１参照）。
【０００４】
ここで、特許文献２では、仕切体に配置されたヒータの熱が庫内側へ伝導することを抑えることで庫内への熱負荷を低減するとともに、仕切体の前面部の温度低下を抑制して、結露を防止しつつヒータへの入力を低減する構成が開示されている。図１７を用いて特許文献２に記載の従来の冷蔵庫の仕様について説明する。図１７は観音開き扉の回転仕切り体部近傍の水平断面図である。仕切体１５０１は、その前面部を形成して扉に設置されたガスケット１５０２の当接部となる仕切板１５０３と、左右の側面部及び背面部を形成して仕切板１５０３とともに仕切体１５０１の直方体状の外殻を構成する仕切筐体１５０４と、仕切板１５０３の背後に設けられた加熱手段としてのヒータ１５０５と、仕切筐体１５０４の内部に設けられた断熱材１５０６とを備えてなる。
【０００５】
仕切筐体１５０４は、前方に開口する水平断面コの字状の部材であり、樹脂材料により形成されている。仕切板１５０３は、ガスケット１５０２のマグネットにより着磁されるように鉄板により形成されており、また鉄板が熱伝導性に優れることからヒータ１５０５の加熱によって結露を防止している。ヒータ１５０５は、仕切体１５０１の幅方向に所定の間隔をおいて上下方向に延びる電熱線からなり、仕切板１５０３の背面に当接した状態に貼り付けられている。断熱材１５０６は、仕切体１５０１の内部空間を埋めるように充填されており、ヒータ１５０５による熱が仕切体１５０１の内部を通って庫内側に伝わらないようにしている。
【０００６】
以上の構成において、仕切筐体１５０４の左右両側面部１５０４Ａに、上下方向に延びるスリット状の切欠部１５０７が設けられている。切欠部１５０７は、各側面部１５０４Ａの前後方向における中央部に設けられており、その前側の側面部前側部分１５０４Ａ１と、後側の側面部後側部分１５０４Ａ２とを分断（縁切り）している。これにより、ヒータ１５０５の熱が仕切板１５０３から仕切筐体１５０４を熱伝導により通過して庫内へ侵入することを抑制する。
【０００７】
また、特許文献３では、仕切体の構成としては、仕切体を左右の扉に配置し、左右の仕切体がガスケットを介して当接させるとともに、ガスケットのヒレ部材により仕切体の上下端と冷蔵室開口との間に発生する隙間を塞ぐ構成が開示されている。特許文献３に記載の従来の冷蔵庫の仕様について図１８を用いて説明する。図１８は観音開き扉の回転仕切り体部近傍の水平断面図である。図１８に示すように、左扉１６０１ａ、右扉１６０１ｂの非枢支側における扉内板の凸条部の側部に、それぞれ仕切体１６０２ａ、１６０２ｂをピン１６０３ａ、１６０３ｂにより回動自在に対向して取り付けている。そして、扉裏側にはガスケット１６０４を取り付け、扉を閉めた際に左扉１６０１ａ、右扉１６０１ｂとガスケット１６０４とが接触することで庫内空間を閉鎖する。
【０００８】
そして、仕切体１６０２ｂの左扉１６０１ａと対向する側面には、上下に亙って仕切ガスケット１６０５を取り付けている。この仕切ガスケット１６０５はマグネットを内包しており、仕切体１６０２ａの右扉１６０１ｂと対抗する側面は、仕切ガスケット１６０５に内在させたマグネットが吸着するよう鉄板を設けている。
【０００９】
また、左右の観音開き扉の各ガスケット１６０４の非枢支側における上下端部には、互いに重合するように延設した柔軟性のヒレ部材１６０６ａ、１６０６ｂをそれぞれ対向して設けている。このヒレ部材１６０６ａ、１６０６ｂにより庫内への熱の侵入を抑制する。
【先行技術文献】
【特許文献】
【００１０】
【特許文献１】特開２０１０−２４９４９１号公報
【特許文献２】特開２０１４−１３４３７７号公報
【特許文献３】特開２００３−１１４０８７号公報
【発明の概要】
【発明が解決しようとする課題】
【００１１】
しかしながら、特許文献２に記載の従来の構成では、ヒータ（符号なし）の熱が仕切体を伝熱し庫内へ侵入することを抑制することは可能であるが、仕切体の上下端と冷蔵室開口との間に発生する隙間はガスケットにヒレ部材を配置しても、冷蔵室への熱侵入の原因になる為、また、ヒレ部材の温度低下による結露を防止する為に、前記ヒータの発熱量を増加させる必要がある。
【００１２】
また、特許文献３に記載の従来の構成においても、同様に配置されたヒレ部材１６０６ａ、１６０６ｂにおいて結露を防止する為に、前記ヒータの発熱量を増加させる必要があるという課題を有している。
本発明は、前記従来の課題を解決するもので、ヒータの発熱量を増加させることなく、観音開き扉での結露を抑制することを可能とした冷蔵庫を提供することを目的とする。
【課題を解決するための手段】
【００１３】
上記目的を達成するために、本発明の請求項１記載の冷蔵庫は、断熱箱体を、冷蔵室を含む複数の部屋に区画する区画板と、前記冷蔵室の前面開口に位置し左右に開閉する観音開き扉と、前記観音開き扉の少なくともいずれか一方の内面に縦方向にわたり設けられ、吸着面を形成する仕切板を有する回転仕切体と、前記回転仕切体と前記前面開口との間に位置し、前記吸着面と吸着する扉ガスケットと、前記断熱箱体の前面部と前記区画板の前面とを加温する断熱箱体前面加温手段と、を備え、前記扉ガスケットに配置され、前記断熱箱体の前面部および前記区画板の前面と前記回転仕切体と接触し、前記回転仕切体と前記冷蔵室の前面開口との間の隙間を閉塞させる第１のヒレ部材と、前記扉ガスケットの前記観音開き扉の開閉時に変形しない箇所に配置され、前記左右の観音開き扉の間の隙間であってお互いに接触せず、前記回転仕切体の前面に、前記回転仕切体と接触しない第２のヒレ部材と、を有することを特徴とする。
【００１４】
また、本発明の請求項２に記載の冷蔵庫は、請求項１に記載の蔵庫であって、前記第２のヒレ部材を配置される、前記扉ガスケットの変形しない箇所が、前記吸着面と前記扉ガスケットを吸着する為に前記扉ガスケット内部に配置された磁性体を固定する箇所であることを特徴とする。
また、本発明の請求項３に記載の冷蔵庫は、請求項１に記載の蔵庫であって、前記第２のヒレ部材を配置される、前記扉ガスケットの変形しない箇所が、前記扉ガスケットを前記観音開き扉に接触固定する固定用ヒレ部であることを特徴とする。
また、本発明の請求項４に記載の冷蔵庫は、請求項１から請求項３のいずれか１項に記載の蔵庫であって、前記第２のヒレ部材を、左右の扉ガスケットのそれぞれに少なくとも２つ以上設けたことを特徴とする。
また、本発明の請求項５に記載の冷蔵庫は、請求項４に記載の蔵庫であって、前記左右の扉ガスケットのそれぞれに少なくとも２つ以上設けた複数の前記第２のヒレ部材同士が、接触しないこと特徴とする。
また、本発明の請求項６記載の冷蔵庫は、請求項１から請求項５のいずれか１項に記載の冷蔵庫であって、前記第２のヒレ部材を、前記観音開き扉の縦方向全体にわたって設けたことを特徴とする。
【００１５】
また、本発明の請求項７記載の冷蔵庫は、請求項１から請求項５のいずれか１項に記載の冷蔵庫であって、前記第２のヒレ部材を、前記観音開き扉の上端側と下端側に分離して設けたことを特徴とする。
【００１６】
また、本発明の請求項８記載の冷蔵庫は、請求項１から請求項３のいずれか１項に記載の冷蔵庫であって、前記第２のヒレ部材を、前記観音開き扉の上端側に設けたことを特徴とする。
【００１７】
また、本発明の請求項９記載の冷蔵庫は、請求項１から請求項３のいずれか１項に記載の冷蔵庫であって、前記第２のヒレ部材を、前記観音開き扉の下端側に設けたことを特徴とする。
【００１８】
また、本発明の請求項１０記載の冷蔵庫は、請求項１から請求項８のいずれか１項に記載の冷蔵庫であって、前記第２のヒレ部材が、前記観音開き扉の上部において水平方向へ延長した構造であることを特徴とする。
【００１９】
また、本発明の請求項１１記載の冷蔵庫は、請求項１０に記載の冷蔵庫であって、前記第２のヒレ部材の前記観音開き扉の上部へ延長した延長部が、前記断熱箱体の前面部に向かって屈曲した構造であることを特徴とする。
【００２０】
また、本発明の請求項１２記載の冷蔵庫は、請求項１１に記載の冷蔵庫であって、前記第２のヒレ部材の屈曲した構造が、前記断熱箱体の前面部と接触することを特徴とする。
【００２１】
また、本発明の請求項１３記載の冷蔵庫は、請求項１から請求項７もしくは請求項９のいずれか１項に記載の冷蔵庫であって、前記第２のヒレ部材が、前記観音開き扉の下部において水平方向へ延長した構造であることを特徴とする。
【００２２】
また、本発明の請求項１４記載の冷蔵庫は、請求項１３に記載の冷蔵庫であって、前記第２のヒレ部材の前記観音開き扉の下部へ延長した延長部が、前記区画板の前面に向かって屈曲した構造であることを特徴とする。
【００２３】
また、本発明の請求項１５記載の冷蔵庫は、請求項１４に記載の冷蔵庫であって、前記第２のヒレ部材の屈曲した構造が、前記区画板の前面と接触することを特徴とする。
【００２４】
また、本発明の請求項１６記載の冷蔵庫は、請求項１から請求項１５のいずれか１項に記載の冷蔵庫であって、前記第１のヒレ部材の庫内側外表面にシート状の断熱材を配置したことを特徴とする。
【００２５】
また、本発明の請求項１７記載の冷蔵庫は、請求項１から請求項１６のいずれか１項に記載の冷蔵庫であって、前記第１のヒレ部材の外気側外表面にシート状の断熱材を配置したことを特徴とする。
【００２６】
また、本発明の請求項１８記載の冷蔵庫は、請求項１から請求項１７のいずれか１項に記載の冷蔵庫であって、前記第１のヒレ部材の中にシート状の断熱材を配置したことを特徴とする。
【００２７】
また、本発明の請求項１９記載の冷蔵庫は、請求項１８に記載の冷蔵庫であって、前記シート状の断熱材がシリカエアロゲルを繊維シートの空隙に埋め込んだ断熱シートであることを特徴とする。
【００２８】
また、本発明の請求項２０記載の冷蔵庫は、請求項１から請求項１９のいずれか１項に記載の冷蔵庫であって、前記回転仕切体は、さらに、前記回転仕切体の内部に配設された断熱材と、前記仕切板の周縁部および前記断熱材の外面を覆う仕切枠体と、前記仕切板内面を加温する仕切板加温手段と、を有することを特徴とする。
本構成によって、ヒータの発熱量を増加させることなく、観音開き扉のヒレ部材の温度低下を抑制することができる。
【発明の効果】
【００２９】
以上のように、本発明の冷蔵庫によれば、観音開き扉での結露を抑制することで、ヒータ消費電力を削減することができる。
【図面の簡単な説明】
【００３０】
【図１】本発明の実施の形態１における冷蔵庫の正面図
【図２】本発明の実施の形態１における観音開き扉の水平断面図
【図３】本発明の実施の形態１における冷蔵庫の観音開き扉閉時の図１におけるＡ−Ａ断面図
【図４】本発明の実施の形態１における冷蔵庫の右側扉開時の観音開き扉上部斜視図
【図５】本発明の実施の形態１における冷蔵庫の右側扉開時の観音開き扉下部斜視図
【図６Ａ】本発明の実施の形態１における第１のヒレ部材の下部拡大正面図
【図６Ｂ】本発明の実施の形態１における第１のヒレ部材の下部拡大右側面図
【図７】本発明の実施の形態２における冷蔵庫の観音開き扉閉時の縦断面図
【図８】本発明の実施の形態２における冷蔵庫の右側扉開時の観音開き扉上部斜視図
【図９】本発明の実施の形態２における冷蔵庫の右側扉開時の観音開き扉下部斜視図
【図１０】本発明の実施の形態３における冷蔵庫の観音開き扉の水平断面図
【図１１】本発明の実施の形態４における冷蔵庫の観音開き扉閉時の縦断面図
【図１２Ａ】本発明の実施の形態４における第１のヒレ部材の下部拡大正面図
【図１２Ｂ】本発明の実施の形態４における第１のヒレ部材の下部拡大右側面図
【図１３】本発明の実施の形態５における冷蔵庫の観音開き扉閉時の図１におけるＡ−Ａ断面図
【図１４】本発明の実施の形態５における冷蔵庫の観音開き扉閉時の縦断面図
【図１５】本発明の実施の形態５における扉ガスケットの水平断面図
【図１６】特許文献１に記載された従来の冷蔵庫の観音開き扉周辺図
【図１７】特許文献２に記載された従来の観音開き扉の水平断面図
【図１８】特許文献３に記載された従来の観音開き扉の水平断面図
【発明を実施するための形態】
【００３１】
以下本発明の実施の形態について、図面を参照しながら説明する。なお、この実施の形態によってこの発明が限定されるものではない。
【００３２】
（実施の形態１）
本発明の実施の形態２について図１から図６を用いて説明する。
【００３３】
＜全体構成＞
図１は、本発明の実施の形態１における冷蔵庫１０１の正面図である。以下の説明では、図１における上下方向を「縦方向」といい、上方向を「上側」、下方向を「下側」という。また、図１における左右方向を「幅方向」又は「水平方向」といい、右方向を「右側」、左方向を「左側」という。また、図１において紙面に垂直な方向を前後方向といい、手前方向を「前面側」又は「外気側」、奥方向を「庫内側」という。冷蔵庫１０１の観音開き扉は向かって左側に位置する左側扉１０２及び向かって右側に位置する右側扉１０３を有している。ここで観音開き扉とは、左右に開閉する一対の扉である。図１は、左側扉１０２と右側扉１０３とを開扉させた状態を示している。左側扉１０２と右側扉１０３とが設けられている部分は冷蔵貯蔵室１０４の部分であり、左側扉１０２の下は製氷室１０５、さらに下側は冷凍貯蔵室１０６、野菜室１０７とされている。右側扉１０３の下側、製氷室１０５の右隣には切替室１０８が設けられている。左側扉１０２と右側扉１０３はそれぞれヒンジ部により枢支されて左側と右側に開くように構成されており、左側扉１０２の非枢支側には回転仕切体１０９を設けている。
【００３４】
＜回転仕切体１０９＞
この回転仕切体１０９は、左側扉１０２の開閉動作に応じて回転し、閉扉された状態では、左側扉１０２、右側扉１０３の非枢支側を扉ガスケット１１０を介して閉塞して、冷蔵貯蔵室１０４内からの冷気漏れを防止している。
【００３５】
図２は本発明の実施の形態１における観音開き扉の水平断面図である。図２において、回転仕切体１０９は、扉ガスケット１１０との吸着面２０１を形成する仕切板２０２と、回転仕切体１０９内部に配設された発泡スチロール製の断熱材２０３と、仕切板２０２の周縁部および断熱材２０３の外面を覆う合成樹脂製の仕切枠体２０４と、仕切板２０２内面中央に配設された仕切体加温手段２０５とから構成されている。
【００３６】
＜扉ガスケット１１０＞
また、扉ガスケット１１０には、吸着面２０１との接触面積を増加させるとともに、回転仕切体１０９の上下方向上端と冷蔵庫箱体上部壁３０２の上下方向下面との間に生じる隙間（図３参照）、および、回転仕切体１０９の上下方向下端と区画板前面プレート３０３の上下方向上面との間に生じる隙間（図３参照）を封鎖するように第１のヒレ部材２０６が配置されている。第１のヒレ部材２０６は、左側扉１０２および右側扉１０３にそれぞれ設けられ、お互いに接触するように配置されている。また、扉ガスケット１１０には、回転仕切体１０９から前面側（図２における下方向）に離れた位置に第２のヒレ部材２０７が配置されている。第２のヒレ部材２０７は、回転仕切体１０９と接触しないように配置されている。
【００３７】
ここで、仕切板２０２は、合成樹脂製であり、内面には２つの磁性体２０８が取り付けられている。磁性体２０８は、冷蔵庫１０１の高さ方向に対して回転仕切体１０９の略全高域に構成されている。前記磁性体２０８は左側扉１０２、右側扉１０３が閉扉した状態において、扉ガスケット１１０内に構成された磁性体２０９と対向するように配置されており、本実施例では直方体のプラスチックマグネットを使用した。
【００３８】
また、仕切体加温手段２０５は線状ヒータ等の直線状なもので、磁性体２０８の間に磁性体２０８と並行して配置される。
【００３９】
図３は本発明の実施の形態１における冷蔵庫１０１の観音開き扉閉時の図１におけるＡ−Ａ断面図である。冷蔵貯蔵室１０４の下部は区画板３０１、上部は冷蔵庫箱体上部壁３０２によって囲われている。そして、区画板３０１の前面には区画板前面プレート３０３が配置され、その背面には区画した前面部加温手段３０４が配置されている。また、冷蔵庫箱体上部壁３０２の前面部を加熱する箱体上部壁前面加温手段３０５が配置されている。また、扉ガスケット１１０には、第１のヒレ部材２０６と第２のヒレ部材２０７とが配置されている。
【００４０】
図４は、本発明の実施の形態１における観音開き扉の上部斜視図、図５は本発明の実施の形態１における観音開き扉の下部斜視図である。第１のヒレ部材２０６は回転仕切体１０９、区画板前面プレート３０３（図３参照）および冷蔵庫箱体上部壁３０２の前面と接触し、冷蔵貯蔵室１０４を閉鎖している。また、また、第２のヒレ部材２０７の上下方向上端部は観音開き扉の上部において幅方向（水平方向）に延長された延長部を有している。また、第２のヒレ部材２０７の上下方向下端部は観音開き扉の下部において幅方向（水平方向）延長された延長部を有している。第２のヒレ部材２０７の延長部は、冷蔵庫箱体上部壁３０２の前面に向かって屈曲し、冷蔵庫箱体上部壁３０２の前面と接触する上部屈曲部２０７ａ（図４参照）を有する。また、第２のヒレ部材２０７の延長部は、区画板前面プレート３０３に向かって屈曲し、区画板前面プレート３０３と接触する下部屈曲部２０７ｂ（図５参照）を有する。
【００４１】
また、第２のヒレ部材２０７の上部屈曲部２０７ａおよび、下部屈曲部２０７ｂは切り欠きを形成し、冷蔵庫箱体上部壁３０２の前面と接触した際に、屈曲部の変形を容易にし、第１のヒレ部材２０６による、回転仕切体１０９、区画板前面プレート３０３および冷蔵庫箱体上部壁３０２と、左側扉１０２との密閉性に影響が出ないようにしている。
【００４２】
図６は本発明の実施の形態１における第１のヒレ部材２０６の下部拡大図であり、図６Ａは正面図、図６Ｂは右側面図を示している。図６Ａに示しているシート状の断熱材６０１は第１のヒレ部材２０６と概同形状であり、図６Ｂに示すように、第１のヒレ部材２０６の下端部はシート状の断熱材６０１を内部に配置している。このシート状の断熱材を断熱シートという場合がある。また、第１のヒレ部材２０６の上端部も同様にシート状の断熱材６０１を内部に配置している（図示せず）。このシート状の断熱材６０１としては、シリカエアロゲルを繊維シートの空隙に埋め込んだ柔軟性のあるシート状の断熱材を用いているが、他の柔軟性を持つ断熱材を用いてもよい。
【００４３】
ここで、本実施の形態１においては、第２のヒレ部材２０７の上部屈曲部２０７ａが、冷蔵庫箱体上部壁３０２の前面と接触し、第２のヒレ部材２０７の下部屈曲部２０７ｂが区画板前面プレート３０３と接触しているが、接触をさせない構成としてもよい。これにより、接触により扉ガスケット１１０が変形することで第１のヒレ部材２０６による冷蔵貯蔵室１０４の閉鎖力の低下を、接触させない構造とすることで、抑制することが可能となる。
【００４４】
また、第２のヒレ部材２０７の上下方向上端部および上下方向下端部はそれぞれ屈曲した構造としているが、屈曲させない構成としてもよい。また、図４および図５に示すように、第２のヒレ部材２０７の上部および下部の屈曲部２０７ａ、２０７ｂに切り欠き２０７ｃ、２０７ｄを形成しているが、第２のヒレ部材の厚みや材料により変形を容易とすることで、切り欠き２０７ｃ、２０７ｄを形成しない形状としてもよい。また、本実施の形態１において、第２のヒレ部材２０７の上下方向の中央部分にて幅を狭くしているが、これは第２ヒレ同士の接触による扉開閉時の必要な力を減らす為であり、開閉の力への影響が小さい場合は上下方向に同じ幅としてもよい。また、断熱シート６０１は第１のヒレ部材２０６と概同形状としているが、断熱シート６０１が第１のヒレ部材２０６の内部に配置される際の形状はこの形に限らず、例えば長方形としてもよい。
【００４５】
＜冷却運転時の冷蔵貯蔵室周辺部の状態＞
本実施の形態１における、冷却運転時の冷蔵貯蔵室１０４周辺部の状態について図３から図６Ｂを用いて説明する。冷却運転により、冷蔵貯蔵室１０４内は冷蔵庫１０１の周辺外気温度より低温で制御される。冷蔵庫１０１の表面は温度が低下し、表面温度が外気の露点以下となると結露が発生する。その為、結露防止に仕切体加温手段２０５、前面部加温手段３０４と箱体上部壁前面加温手段３０５を含む、冷蔵庫１０１の表面を加熱する手段にて、冷蔵庫１０１の外気との接触する面の温度を外気の露点温度以上に維持している。
【００４６】
ここで、回転仕切体１０９と区画板３０１とは、また、回転仕切体１０９と冷蔵庫箱体上部壁３０２とは、接触して左側扉１０２が開閉できなくなることを防止するため、設計的に隙間が設定されている。その為、第１のヒレ部材２０６によりその隙間を閉鎖することで、外気の冷蔵貯蔵室１０４への侵入を防止しているが、この隙間部分の第１のヒレ部材２０６は冷蔵貯蔵室１０４の低温冷気により直接冷却されるため、第１のヒレ部材２０６のその他の部分と比べて最も低温となり結露しやすい箇所となる。その為、仕切体加温手段２０５により、第１のヒレ部材２０６の最冷箇所が露点以上となるように加熱する必要があるが、本実施の形態１において、第１のヒレ部材２０６の内部に断熱シート６０１（図６Ａ及び図６Ｂ参照）を配置していることで、第１のヒレ部材２０６の表面温度低下を抑制している。
【００４７】
また、区画板前面プレート３０３および冷蔵庫箱体上部壁３０２の前面は、それぞれ前面部加温手段３０４および箱体上部壁前面加温手段３０５により外気温度以上に加温されており、この近傍の露点以上に加温された雰囲気を、第２のヒレ部材２０７によりその他の外気と仕切ることで、回転仕切体１０９と区画板３０１との隙間部、および、回転仕切体１０９と冷蔵庫箱体上部壁３０２との隙間部における第１のヒレ部材２０６表面近傍の雰囲気温度を高めることで、第１のヒレ部材２０６の表面温度は第２のヒレ部材２０７が存在しない場合と比較して高くすることができる。
【００４８】
以上の様に、本実施の形態１の構成によれば、第１のヒレ部材２０６の内部に配置された断熱シート６０１による断熱と、第２のヒレ部材２０７によって温度の高い雰囲気を囲い込むことにより、回転仕切体１０９に設置された仕切体加温手段２０５に対するヒータ加熱を行うための投入電力を少なくすることができ、消費電力の削減が可能となる。
【００４９】
（実施の形態２）
本発明の実施の形態２について図７、図８および図９を用いて説明する。本発明の実施の形態２は実施の形態１における図１、図２、図６Ａおよび図６Ｂの構成は同じである。また、冷却運転時の冷蔵貯蔵室周辺部の状態についても実施の形態１と同じである。以下、実施の形態２について、実施の形態１と異なる構成を主に説明し、実施の形態１と同じ構成については、同一符号を付してその説明を省略する。
【００５０】
図７は本発明の実施の形態２における冷蔵庫１０１の観音開き扉閉時の縦断面図である。扉ガスケット１１０には第１のヒレ部材２０６が配置されている。また、扉ガスケット１１０には、上部の第２のヒレ部材７０１ａと下部の第２ヒレ部材７０１ｂとがそれぞれ上下に分かれて配置されている。
【００５１】
図８は本発明の実施の形態２における冷蔵庫１０１の右側扉１０３開時の観音開き扉上部斜視図である。図９は本発明の実施の形態２における冷蔵庫１０１の右側扉１０３開時の観音開き扉下部斜視図である。第１のヒレ部材２０６は回転仕切体１０９、区画板前面プレート３０３および冷蔵庫箱体上部壁３０２の前面と接触し、冷蔵貯蔵室１０４を閉鎖している。上部の第２のヒレ部材７０１ａは屈曲し、冷蔵庫箱体上部壁３０２の前面と接触している。下部の第２のヒレ部材７０１ｂは屈曲のない構造となっている（図７参照）。
【００５２】
ここで、第２のヒレ部材は屈曲した先端が、冷蔵庫箱体上部壁３０２の前面、および区画板前面プレート３０３と接触しているが、接触により扉ガスケット１１０が変形することで第１のヒレ部材２０６による冷蔵貯蔵室１０４の閉鎖力の低下を抑制するため、接触をさせない構成としてもよい。また、上部の第２のヒレ部材７０１ａは上端部にて屈曲した構造としているが、屈曲させない構成としてもよい。また、上部の第２のヒレ部材７０１ａの屈曲部は切り欠き形状を配置していないが、切り欠きを形成して右側扉１０３の閉時に右側扉１０３の扉ガスケット１１０に配置される第２のヒレ部材（図示せず）と接触した際に、屈曲部の変形を容易にしてもよい。また同様に、下部の第２のヒレ部材７０１ｂは屈曲部のない構造となっているが、屈曲部を配置し、区画板前面プレート３０３と接触する構成としてもよい。
【００５３】
以上の様に、本実施の形態２の構成によれば、第１のヒレ部材２０６の内部に配置された断熱シート６０１による断熱、上部の第２のヒレ部材７０１ａ及び下部の第２のヒレ部材７０１ｂによって温度の高い雰囲気を囲い込むことにより、回転仕切体１０９に設置された仕切体加温手段２０５に対するヒータ加熱を行うための投入電力を少なくすることができ、消費電力の削減が可能となる。
【００５４】
（実施の形態３）
本発明の実施の形態３について図１０を用いて説明する。本発明の実施の形態３は実施の形態２における図１、図２、図６Ａ、図６Ｂおよび図７の構成は同じである。また、冷却運転時の冷蔵貯蔵室１０４周辺部の状態についても実施の形態２と同じである。以下、実施の形態３について、実施の形態２と異なる構成を主に説明し、実施の形態２と同じ構成については、同一符号を付してその説明を省略する。
【００５５】
図１０は本発明の実施の形態３における観音開き扉の水平断面図である。扉ガスケット１１０には第１のヒレ部材２０６、扉ガスケット１１０上端部には第２のヒレ部材７０１ａが配置され、第１のヒレ部材２０６は回転仕切体１０９、区画板前面プレート３０３および冷蔵庫箱体上部壁３０２の前面と接触し冷蔵貯蔵室１０４を閉鎖している。上部の第２のヒレ部材７０１ａは上端部にて屈曲し、冷蔵庫箱体上部壁３０２の前面と接触している。
【００５６】
ここで、本実施の形態３においては、上部の第２のヒレ部材７０１ａの屈曲部は切り欠き形状を配置していないが、切り欠きを形成して右側扉１０３閉時に右側扉１０３の扉ガスケット１１０に配置される第２のヒレ部材（図示せず）と接触した際に、屈曲部の変形を容易にしてもよい。
【００５７】
以上の様に、本実施の形態３の構成によれば、第１のヒレ部材２０６の内部に配置された断熱シート６０１による断熱と、第２のヒレ部材７０１ａによって温度の高い雰囲気を囲い込むことにより、回転仕切体１０９に設置された仕切体加温手段２０５に対するヒータ加熱を行うための投入電力を少なくすることができ、消費電力の削減が可能となる。
【００５８】
（実施の形態４）
本発明の実施の形態４について、図１１および図１２を用いて説明する。本発明の実施の形態４は実施の形態２における図１、図２および図９の構成は同じである。また、冷却運転時の冷蔵貯蔵室１０４周辺部の状態についても実施の形態２と同じである。以下、実施の形態４について、実施の形態２と異なる構成を主に説明し、実施の形態２と同じ構成については、同一符号を付してその説明を省略する。
【００５９】
図１１は本発明の実施の形態４における冷蔵庫１０１の観音開き扉閉時の縦断面図である。扉ガスケット１１０には第１のヒレ部材２０６が配置され、第２のヒレ部材２０７は左側扉１０２及び右側扉１０３それぞれに固定される形で配置されている。第１のヒレ部材２０６は回転仕切体１０９、区画板前面プレート３０３および冷蔵庫箱体上部壁３０２の前面と接触し、冷蔵貯蔵室１０４を閉鎖している。
【００６０】
図１２Ａは本発明の実施の形態４における第１のヒレ部材の下部拡大正面図である。図１２Ｂは本発明の実施の形態４における第１のヒレ部材の下部拡大右側面図である。シート状の断熱材６０１は第１のヒレ部材２０６と概同形状であり、図１２Ｂに示すように、第１のヒレ部材２０６の庫内側外表面にはシート状の断熱材６０１を配置している。このシート状の断熱材６０１としては、シリカエアロゲルを繊維シートの空隙に埋め込んだ柔軟性のあるシート状の断熱材を用いているが、他の柔軟性を持つ断熱材を用いてもよい。
【００６１】
ここで、本実施の形態４では、第２のヒレ部材２０７は屈曲部のない構造となっているが、屈曲部を配置し、区画板前面プレート３０３と接触する構成としてもよい。第１のヒレ部材２０６の下端部はシート状の断熱材６０１を内部に配置している。また、上端部も同様にシート状の断熱材６０１を内部に配置している（図示せず）。このシート状の断熱材６０１としては、シリカエアロゲルを繊維シートの空隙に埋め込んだ柔軟性のある断熱シートを用いているが、他の柔軟性を持つ断熱材を用いてもよい。また、本実施の形態４では、シート状の断熱材６０１は第１のヒレ部材２０６の庫内側外表面に配置しているが、シート状の断熱材６０１を第１のヒレ部材２０６の外気側外表面に配置してもよい。また、シート状の断熱材６０１は第１のヒレ部材２０６と概同形状としているが、シート状の断熱材６０１が第１のヒレ部材２０６の外形寸法内であればこの形に限らず、例えば長方形としてもよい。
【００６２】
以上の様に、本実施の形態４の構成によれば、第１のヒレ部材２０６の内部に配置された断熱シート６０１による断熱と、第２のヒレ部材２０７によって温度の高い雰囲気を囲い込むことにより、回転仕切体１０９に設置された仕切体加温手段２０５に対するヒータ加熱を行うための投入電力を少なくすることができ、消費電力の削減が可能となる。
【００６３】
（実施の形態５）
本発明の実施の形態５について図１３、図１４および図１５を用いて説明する。本発明の実施の形態５は実施の形態１における図１、図６Ａおよび図６Ｂの構成は同じである。また、冷却運転時の冷蔵貯蔵室周辺部の状態についても実施の形態１と同じである。以下、実施の形態５について、実施の形態１と異なる構成を主に説明し、実施の形態１と同じ構成については、同一符号を付してその説明を省略する。
【００６４】
図１３は本発明の実施の形態５における、観音開き扉の水平断面図、図１４は本発明の実施の形態５における冷蔵庫１０１の観音開き扉閉時の縦断面図である。扉ガスケット１１０には第１のヒレ部材２０６が配置されている。また、扉ガスケット１１０には、複数の第２のヒレ部材２０７，１７０１が配置されている。
【００６５】
図１５は本発明の実施の形態５における扉ガスケット１１０の水平断面図である。第１のヒレ部材２０６は回転仕切体１０９と接触している。第２のヒレ部材２０７，１７０１は扉ガスケット１１０の断熱層部１９０１ではなく、それぞれ扉ガスケットの扉固定用ヒレ部１９０３、扉ガスケットに配置された磁性体１９０２を囲う箇所に配置されている。これにより、観音開き扉の開閉により変形する扉ガスケット１１０の断熱層部１９０１ではなく、観音開き扉の開閉の影響を受けない、変形しない箇所に第２のヒレ部材２０７，１７０１を配置することで、第２のヒレ部材２０７，１７０１の変形や方向のズレを抑制することが可能となる。
【００６６】
以上の様に、本実施の形態５の構成によれば、第１のヒレ部材２０６の内部に配置された断熱シート６０１による断熱、第２のヒレ部材２０７，１７０１によって温度の高い雰囲気を囲い込むことにより、回転仕切体１０９に設置された仕切体加温手段２０５に対するヒータ加熱を行うための投入電力を少なくすることができ、消費電力の削減が可能となる。
【００６７】
（全体として）
上記実施の形態は、自由に組み合わせることができる。
【産業上の利用可能性】
【００６８】
本発明の冷蔵庫は、ヒータへの投入電力を少なくても外気接触面の表面温度を高めることで結露を防止する能力を有し、観音開き扉構造を有する断熱箱体等の結露防止や消費電力削減の用途にも適用できる。
【符号の説明】
【００６９】
１０１  冷蔵庫
１０２  左側扉
１０３  右側扉
１０４  冷蔵貯蔵室
１０５  製氷室
１０６  冷凍貯蔵室
１０７  野菜室
１０８  切替室
１０９  回転仕切体
１１０  扉ガスケット
２０１  吸着面
２０２  仕切板
２０３  断熱材
２０４  仕切枠体
２０５  仕切体加温手段
２０６  第１のヒレ部材
２０７  第２のヒレ部材
２０７ａ  第２のヒレ部材の上部屈曲部
２０７ｂ  第２のヒレ部材の下部屈曲部
２０８  磁性体
２０９  磁性体
３０１  区画板
３０２  冷蔵庫箱体上部壁
３０３  区画板前面プレート
３０４  前面部加温手段
３０５  箱体上部壁前面加温手段
６０１  シート状の断熱材（断熱シート）
７０１ａ  上部の第２のヒレ部材
７０１ｂ  下部の第２のヒレ部材
１５０１  仕切体
１５０２  ガスケット
１５０３  仕切板
１５０４  仕切筐体
１５０４Ａ  仕切筐体の左右両側面部
１５０４Ａ１  仕切筐体の側面部前側部分
１５０４Ａ２  仕切筐体の側面部後側部分
１５０５  ヒータ
１５０６  断熱材
１５０７  切欠部
１６０１ａ  左扉
１６０１ｂ  右扉
１６０２ａ  仕切体
１６０２ｂ  仕切体
１６０３ａ  ピン
１６０３ｂ  ピン
１６０４  ガスケット
１６０５  仕切ガスケット
１６０６ａ  ヒレ部材
１６０６ｂ  ヒレ部材
１７０１  第２のヒレ部材
１９０１  扉ガスケットの断熱層部
１９０２  扉ガスケットに配置された磁性体
１９０３  扉ガスケットの扉固定用ヒレ部
【図１】
2018112385.tif 000003
【図２】
2018112385.tif 000004
【図３】
2018112385.tif 000005
【図４】
2018112385.tif 000006
【図５】
2018112385.tif 000007
【図６Ａ】
2018112385.tif 000008
【図６Ｂ】
2018112385.tif 000009
【図７】
2018112385.tif 000010
【図８】
2018112385.tif 000011
【図９】
2018112385.tif 000012
【図１０】
2018112385.tif 000013
【図１１】
2018112385.tif 000014
【図１２Ａ】
2018112385.tif 000015
【図１２Ｂ】
2018112385.tif 000016
【図１３】
2018112385.tif 000017
【図１４】
2018112385.tif 000018
【図１５】
2018112385.tif 000019
【図１６】
2018112385.tif 000020
【図１７】
2018112385.tif 000021
【図１８】
2018112385.tif 000022